(57)【要約】      （修正有）【課題】色が黒く単価の高いＥＢ−１０（通電素材の商品名）を使用することなく通電回路を確保することによって、透明若しくは半透明のピエゾライターであって圧電ユニットの内部機構までもが透視できる透明素材にて統一されたスケルトンのピエゾライターを提供する。【解決手段】圧電ユニット５は、上下方向に伸縮するように相互に嵌め合わされた透明なポリカーボネート樹脂からなる外箱５ａと内箱５ｂとを有し、内箱内のハンマースプリング５ｃと、内箱に外装されたアースとを電気的に接触せしめる通電部１０を設ける。この通電部１０は、内箱の頂面に開口された透孔からなり、着火操作子６の操作により同圧電ユニット５の内箱が完全に押し込み動作された際に、打撃機構が働き通電されることになる。【選択図】 図３
0003134245.tif 000002
【実用新案登録請求の範囲】
【請求項１】
ライター本体に組み付けられた着火操作子と、該着火操作子の押込動作に応じて伸縮すべく相互に嵌め合わされた外箱（アウターケース）と内箱（インナーケース）とからなる圧電ユニットを備えてなるライターにおいて、
前記圧電ユニットは、内部機構が透視できるように前記外箱（アウターケース）及び／又は内箱（インナーケース）を透明若しくは半透明の素材にて成形したことを特徴とするピエゾライター。
【請求項２】
前記圧電ユニットは、内箱（インナーケース）内のハンマースプリングと、内箱（インナーケース）外のアースとを電気的に接触せしめる通電部を設けたことを特徴とする請求項１に記載のピエゾライター。
【請求項３】
前記通電部は、内箱（インナーケース）の頂面に設けられた透孔であることを特徴とする請求項２に記載のピエゾライター。
【考案の詳細な説明】
【技術分野】
【０００１】
本考案は、ピエゾライターの改良に関し、更に詳しくは、透明若しくは半透明のライター本体内にあって圧電ユニットの内部機構までが透視できる斬新なピエゾライターに関する。
【背景技術】
【０００２】
従来、ピエゾライターは、圧電素子を打撃機構で打撃して高電圧を生じさせる圧電ユニットを使用し、着火操作子の押し込み動作によって自動的にガス噴出ノズルの弁が開かれると共に、瞬時に火花放電が発生して着火がなされるように組み付けされている（例えば、特許文献１参照）。
【特許文献１】実開昭５４−４４１７６号公報
【考案の開示】
【考案が解決しようとする課題】
【０００３】
しかしながら、上述した従来のピエゾライターにあっては、ガスタンクのようにライター本体の内部機構が透視できるものの、圧電ユニットの内箱（インナーケース）が、単価の高いＥＢ−１０（通電素材の商品名）の使用により、色が黒に限定されてしまうといった問題があり、圧電ユニットをスケルトン仕様に統一することができなかった。
【０００４】
本考案はこのような従来の問題点に鑑みてなされたもので、色が黒く単価の高いＥＢ−１０（通電素材の商品名）を使用することなく通電回路を確保することによって、透明若しくは半透明のピエゾライターであって圧電ユニットの内部機構までもが透視できる透明素材にて統一されたスケルトンのピエゾライターを提供することを目的としたものである。
【課題を解決するための手段】
【０００５】
上述の如き従来の問題点を解決し、所期の目的を達成するため本考案の要旨とする構成は、ライター本体に組み付けられた着火操作子と、該着火操作子の押込動作に応じて伸縮すべく相互に嵌め合わされた外箱（アウターケース）と内箱（インナーケース）とからなる圧電ユニットを備えてなるライターにおいて、前記圧電ユニットは、内部機構が透視できるように外箱（アウターケース）及び／又は内箱（インナーケース）を透明若しくは半透明の素材にて形成してなるピエゾライターに存する。
【０００６】
また、前記圧電ユニットは、内箱（インナーケース）内のハンマースプリングと、内箱（インナーケース）外のアースとを電気的に接触せしめる通電部を設けたこと、延いては、斯かる通電部が内箱（インナーケース）の頂面に設けられた透孔であるのが良い。
【考案の効果】
【０００７】
本考案は上述のように構成され、前記圧電ユニットは、内部機構が透視できるように外箱（アウターケース）及び／又は内箱（インナーケース）を透明若しくは半透明の素材にて形成したことによって、圧電ユニットの内部機構までもが透視できる透明素材にて統一されたスケルトンのピエゾライターを提供できることとなった。
【０００８】
また、前記圧電ユニットが、内箱（インナーケース）内のハンマースプリングと、内箱（インナーケース）外のアースとを電気的に接触せしめる通電部を設けたこと、延いては、斯かる通電部が内箱（インナーケース）の頂面に開口した透孔であることによって、従来の如く色が黒くて単価の高いＥＢ−１０（通電素材の商品名）を使用することなく通電回路が得られるため、透明なポリカーボネート等の樹脂材を内箱に使用できるといった効果を奏する。
【考案を実施するための最良の形態】
【０００９】
着火操作子の押込動作に応じて伸縮すべく相互に嵌め合わされた外箱（アウターケース）と内箱（インナーケース）とからなる圧電ユニットの内部機構が透視できるように、同ユニットを構成する外箱（アウターケース）及び／又は内箱（インナーケース）を透明若しくは半透明の素材にて形成せしめ、内箱（インナーケース）内のハンマースプリングと、内箱（インナーケース）外のアースとを電気的に接触せしめる通電部を内箱（インナーケース）の頂面に設ける。
【実施例】
【００１０】
次に本考案に係るピエゾライターの実施の一例を図面を参照しながら説明する。図中Ａは、本考案のピエゾライターであり、このピエゾライターＡは、所定大きさのライター本体１と、該ライター本体１内に液化ガスを封入せしめるガスタンク２と、該ガスタンク２の頂部に上蓋を介して組み付けられたバルブ機構３及び内燃機構４とを備えている。
【００１１】
ライター本体１は、透明なＡＳ樹脂等の適宜素材からなり、ガスタンク２，バルブ機構３，内燃機構４、圧電ユニット５等の内部機構が透視できるように構成されている。
【００１２】
バルブ機構３は、頂部端面に開口（図示せず）を有する筒蓋状のノズル螺旋３ａと、該ノズル螺旋３ｂの下方開口部に嵌合された有底筒状のノズル底栓体３ｂとで内部に弁室（図示せず）を形成しているもので、この弁室内には、Ｏリング、スプリングを介してガス噴出ノズル３ｃが上端を前記ノズル螺旋３ａの開口より外方へ突出すべく装着されている。
【００１３】
更に、ノズル底栓体３ｂの底面には、モルト等のフィルター３ｄ並びに釘状固定子３ｅ等を介して液化ガス吸上部材３ｆが装着されている。この液化ガス吸上部材３ｆは、上端がノズル底栓体３ｂ内に連結支持され下端が前記ガスタンク２内に延出すべく組み付けられたチューブ管からなり、必要に応じて中に焼結芯等を充填させても良い。
【００１４】
釘状固定子３ｅは、着火によりガスタンク２内の気化熱が奪われるのを阻止するものであり、上端側が前記フィルター３ｄの底面に接触し下端側が液化ガス吸上部材３ｅ内に延出するように形成されている。
【００１５】
他方、内燃機構４は、ガス噴出ノズル３ｃの頂端に封緘されたノズルプレート４ａと、同ノズル３ｃの上位に被冠された混合管４ｂと、該混合管６ｂの上部に連設された拡散器４ｃと、該拡散器４ｃを内装すべく接合された燃焼筒４ｄとを備えている。
【００１６】
圧電ユニット５は、上下方向に伸縮するように相互に嵌め合わされた透明なポリカーボネート(ＰＣ)樹脂からなる外箱（アウターケース）５ａと内箱（インナーケース）５ｂとを有し、その間には、図２に示すように、ハンマースプリング５ｃ、ハンマー５ｄ、復帰スプリング５ｅ、ヒッティング５ｆ、圧電素子(エレメント)５ｇ等からなる打撃機構が透視できるように組み付けられている。
【００１７】
また、前記圧電ユニット５は、内箱（インナーケース）５ｂ内のハンマースプリング５ｃと、内箱（インナーケース）５ｂに外装されたアース９とを電気的に接触せしめる通電部１０が設けられている。
【００１８】
この通電部１０は、内箱（インナーケース）５ｂの頂面に開口された透孔からなり、着火操作子６の操作により同圧電ユニット５の内箱（インナーケース）５ｂが完全に押し込み動作された際に、打撃機構が働き（前記ハンマー５ｄの頂部が通電部１０を嵌入した状態で）通電されることになる。
【００１９】
一方、着火操作子６は、圧電ユニット４の上位に組み付けされており、着火操作子６の押し込み動作によって自動的にガス噴出ノズル３ｃの弁が開かれると共に、瞬時に放電端子７から火花放電が発生し前記内燃機構４を介してバーナー着火がなされるように組み付けされている。
【００２０】
弁操作レバー８は、導電性材料によって成形されており、上端８ａ側がガス噴出ノズル３ｃの頸部に係止され、下端８ｂ側がアース部材の端子(図示せず)の下位に臨むように配設されている。
【００２１】
このように構成されるピエゾライターは、着火操作子６を押込操作することによって、圧電ユニット５の動作部（内箱（インナーケース）５ｂ）が押し下げられると共に弁操作レバー８を押し込むべく作動して同レバー８の上端８ａ側を開弁方向に動作せしめバルブ機構３を開き方向に動作させて前記ガス噴出ノズル３ｃからガスを噴出させると共に、前記圧電ユニット５が完全に押し込み動作されて打撃機構が働き、ハンマースプリング５ｃ、アース９を介して通電回路が得られ、放電端子７と燃焼筒４ｄ内にある拡散器４ｃの頂部との間に高電圧差が発生し、前記噴出ガスに火花放電（スパーク）によってバーナー着火することができる。
【００２２】
尚、本考案のピエゾライターは本実施例に限定されることなく、本考案の目的の範囲内で自由に設計変更し得るものであり、本考案はそれらの全てを包摂するものである。例えば、本実施例で使用している着火操作子、バルブ、風防等を透明な適宜素材にて形成しても良い。
【００２３】
このように本考案のピエゾライターは、内箱（インナーケース）５ｂ内のハンマースプリング５ｃと、内箱（インナーケース）５ｂに外装されたアース９とを電気的に接触せしめる通電部１０が設けられているため、ライター本体のみならず圧電ユニットの内部機構までもが透視できるように外箱（アウターケース）及び／又は内箱（インナーケース）を透明若しくは半透明の素材にて成形できるなど、透明性にて統一されたスケルトンのピエゾライターを提供できるものであり、また、構成が単純であるため大量生産に適し、価格も低廉なものとして需要者に供給できる等、本考案を実施することはその実益的価値が甚だ大なるものがある。
【図面の簡単な説明】
【００２４】
【図１】本考案に係るピエゾライターの縦断面図である。
【図２】本実施例で使用する圧電ユニットの縦断面図である。
【図３】同圧電ユニットの一部切欠斜視図である。
【符号の説明】
【００２５】
１  ライター本体
２  ガスタンク
３  バルブ機構
３ａ  ノズル螺旋
３ｂ  ノズル底栓体
３ｃ  ガス噴出ノズル
３ｄ  フィルター
３ｅ  釘状固定子
３ｆ  液化ガス吸上部材
４  内燃機構
４ａ  ノズルプレート
４ｂ  混合管
４ｃ  拡散器
４ｄ  燃焼筒
５  圧電ユニット
５ａ  外箱（アウターケース）
５ｂ  内箱（インナーケース）
５ｃ  ハンマースプリング
５ｄ  ハンマー
５ｅ  復帰スプリング
５ｆ  ヒッティング
５ｇ  圧電素子(エレメント)
６  着火操作子
７  放電端子
８  弁操作レバー
８ａ  上端
８ｂ  下端
９  アース
１０  通電部
【図１】
0003134245.tif 000003
【図２】
0003134245.tif 000004
【図３】
0003134245.tif 000005